(57)【要約】【課題】文書全体における文書要素の位置および種別をユーザが一見して把握できるように、電子化文書に基づく表示を行なう文書処理方法、文書処理プログラム、および文書処理装置を提供する。【解決手段】アイコン生成部３０は、記憶部１１２から電子化文書を読出してその中の属性情報を解釈し、当該属性情報に含まれる文書要素の種別と位置とを取得する。アイコン生成部３０は、アイコン画像格納部３２から文書要素の種別に応じた表示データを取得し、しおりアイコンを表示するためのデータを生成する。一覧画像生成部２０ａは、しおりアイコンの画像を対応のサムネイル画像に付加した上で一覧画像を生成する。【選択図】図６
2008305089.tif 000002
【特許請求の範囲】
【請求項１】
電子化文書を処理する文書処理方法であって、
前記電子化文書は、ページ領域毎に区分された文書画像と属性情報とを含み、
前記属性情報は、前記文書画像内の文書要素の位置を示す情報と、当該文書要素の種別を示す情報とを含み、
前記文書処理方法は、
前記文書画像の各ページ領域を示す画像を少なくとも１つ含む一覧画像を表示するステップと、
前記属性情報に基づいて、前記一覧画像上の前記文書要素に対応する位置に視覚的表示を付加するステップとを備え、
前記視覚的表示を付加するステップは、
前記属性情報に含まれる前記文書要素の種別を取得するステップと、
前記文書要素の種別に応じた前記視覚的表示を生成するステップとを含む、文書処理方法。
【請求項２】
前記視覚的表示は、対応する前記文書要素の種別毎に、表示形態または表示色の少なくとも一方が異なる、請求項１に記載の文書処理方法。
【請求項３】
前記一覧画像として表示される画像に比較して大きくなるように、前記文書画像の所定範囲を示す閲覧画像を表示するステップと、
前記視覚的表示に対する選択指示を受付けるステップとをさらに備え、
前記閲覧画像を表示するステップは、前記選択指示に応答して、前記閲覧画像として表示する範囲を選択された前記視覚的表示が付加されている位置に対応するように切替えるステップを含む、請求項１または２に記載の文書処理方法。
【請求項４】
前記視覚的表示を付加するステップは、前記選択指示に応答して、選択された前記視覚的表示の表示態様を選択前とは異なる表示態様に切替える、請求項３に記載の文書処理方法。
【請求項５】
前記文書要素の種別は、表題、見出し、段落区切り、図、表、写真、手書き文字、下線付文字、装飾文字、色文字、の少なくともいずれかを含む、請求項１〜４のいずれか１項に記載の文書処理方法。
【請求項６】
前記一覧画像と前記閲覧画像とは、同一の表示面に表示される、請求項１〜５のいずれか１項に記載の文書処理方法。
【請求項７】
原稿を読取ることで前記文書画像を取得するステップと、
前記文書画像に含まれる前記文書要素を抽出するステップと、
抽出された前記文書要素の前記文書画像内の位置と種別とを取得するステップと、
取得した前記文書画像内の位置と種別とに基づいて、前記属性情報を生成するステップと、
前記文書画像に前記付属情報を付加することで前記電子化文書を生成するステップとをさらに備える、請求項１〜６のいずれか１項に記載の文書処理方法。
【請求項８】
コンピュータを電子化文書を処理する文書処理装置として機能させる文書処理プログラムであって、
前記電子化文書は、ページ領域毎に区分された文書画像と属性情報とを含み、
前記属性情報は、前記文書画像内の文書要素の位置を示す情報と、当該文書要素の種別を示す情報とを含み、
前記文書処理プログラムは、
前記文書画像の各ページ領域を示す画像を少なくとも１つ含む一覧画像を表示するステップと、
前記属性情報に基づいて、前記一覧画像上の前記文書要素に対応する位置に視覚的表示を付加するステップとをコンピュータに実行させ、
前記視覚的表示を付加するステップは、
前記属性情報に含まれる前記文書要素の種別を取得するステップと、
前記文書要素の種別に応じた前記視覚的表示を生成するステップとを含む、文書処理プログラム。
【請求項９】
原稿を読取ることで前記文書画像を生成するステップと、
前記文書画像に含まれる前記文書要素を抽出するステップと、
抽出された前記文書要素の前記文書画像内の位置と種別とを取得するステップと、
取得した前記文書画像内の位置と種別とに基づいて、前記属性情報を生成するステップと、
前記文書画像に前記付属情報を付加することで前記電子化文書を生成するステップとをさらにコンピュータに実行させる、請求項８に記載の文書処理プログラム。
【請求項１０】
電子化文書を処理する文書処理装置であって、
前記電子化文書は、ページ領域毎に区分された文書画像と属性情報とを含み、
前記属性情報は、前記文書画像内の文書要素の位置を示す情報と、当該文書要素の種別を示す情報とを含み、
前記文書処理装置は、
前記文書画像の各ページ領域を示す画像を少なくとも１つ含む一覧画像を表示する表示手段と、
前記属性情報に基づいて、前記一覧画像上の前記文書要素に対応する位置に視覚的表示を付加する付加手段とを備え、
前記付加手段は、
前記属性情報に含まれる前記文書要素の種別を取得する取得手段と、
前記文書要素の種別に応じた前記視覚的表示を生成する生成手段とを含む、文書処理装置。
【発明の詳細な説明】
【技術分野】
【０００１】
この発明は文書画像と属性情報とを含む電子化文書を処理する文書処理方法、文書処理プログラム、および文書処理装置に関し、特に文書画像内の文書要素の種別に応じた視覚的表示を付加して一覧表示を行なう技術に関する。
【背景技術】
【０００２】
省資源や省スペースの観点から、紙原稿などに記載された文書を電子化文書に変換して管理する文書管理システムが実用化されている。このような文書管理システムでは、スキャナ装置などを用いて原稿を読取ることで文書画像を生成し、これらの文書画像から電子化文書を生成する。
【０００３】
このような文書画像は、文書を画素の集合である画像（イメージ）として格納しているので、当該文書に含まれる文字や図表などの内容を特定するためのデータ（代表的に、テキストデータなど）を元来含んでいない。そのため、特定の情報を含む文書を多くの文書画像の中から検索することは困難である。
【０００４】
そこで、このような文書画像をより容易に管理できるように、文書画像に含まれる文書要素を解析することで属性情報（代表的に、「しおり」）を取得し、文書画像に当該属性情報を付加して表示する技術が提案されている。たとえば、特開平０６−１６２０９３号公報（特許文献１）には、画像データに対してしおりを付加する位置の座標データをしおり情報として登録するしおり座標登録手段と、しおりパターンのデータが記憶されているしおりパターンデータ記憶手段と、画像検索手段によって検索された画像上のしおり情報として登録された座標データに該当する位置に、しおりデータパターン記憶手段に記憶されているしおりパターンを合成して表示するしおりパターン表示手段とを備える画像処理装置が開示されている。また、特開平０６−２３１１８６号公報（特許文献２）には、付加指令を受けて、付加した認識マークに対応する位置情報を認識マーク情報として記憶手段に格納する認識マーク付加手段と、選択指令を受けて、選択した認識マークに対応する情報位置を認識マーク情報から検索する認識マーク検索手段と、付加した情報位置または検索した情報位置に基づいて、文書情報および認識マークを同時に表示装置の同一画面上で表示する表示手段とを備える文書処理装置が開示されている。
【特許文献１】特開平０６−１６２０９３号公報
【特許文献２】特開平０６−２３１１８６号公報
【発明の開示】
【発明が解決しようとする課題】
【０００５】
しかしながら、特開平０６−１６２０９３号公報（特許文献１）に開示される画像処理装置によれば、文書のレイアウトと関連付けられることなく、しおり一覧が表示される（特許文献１の図４２参照）のみであるので、属性情報の対象となる文書要素（しおり）の数が多くなれば、目的とする文書要素の検索効率が低下するという問題があった。
【０００６】
そこで、この発明は、かかる問題を解決するためになされたものであり、その目的は、文書全体における文書要素の位置および種別をユーザが一見して把握できるように、電子化文書に基づく表示を行なう文書処理方法、文書処理プログラム、および文書処理装置を提供することである。
【課題を解決するための手段】
【０００７】
この発明のある局面に従う電子化文書を処理する文書処理方法では、電子化文書は、ページ領域毎に区分された文書画像と属性情報とを含み、属性情報は、文書画像内の文書要素の位置を示す情報と、当該文書要素の種別を示す情報とを含み、文書処理方法は、文書画像の各ページ領域を示す画像を少なくとも１つ含む一覧画像を表示するステップと、属性情報に基づいて、一覧画像上の文書要素に対応する位置に視覚的表示を付加するステップとを備える。視覚的表示を付加するステップは、属性情報に含まれる文書要素の種別を取得するステップと、文書要素の種別に応じた視覚的表示を生成するステップとを含む。
【０００８】
この発明によれば、文書画像の各ページ領域を示す画像を少なくとも１つ含む一覧画像が表示された上に、文書要素に対応する位置に視覚的表示が付加される。さらに、この付加される視覚的表示は、対応する文書要素の種別に応じたものとなる。これにより、ユーザは、電子化文書の全体における文書要素の位置および種別を一見して把握できるため、目的とする文書要素、特に目的とする種別に応じて文書要素を探すことができるので、検索効率を高めることができる。
【０００９】
好ましくは、視覚的表示は、対応する文書要素の種別毎に、表示形態または表示色の少なくとも一方が異なる。
【００１０】
好ましくは、一覧画像として表示される画像に比較して大きくなるように、文書画像の所定範囲を示す閲覧画像を表示するステップと、視覚的表示に対する選択指示を受付けるステップとをさらに備え、閲覧画像を表示するステップは、選択指示に応答して、閲覧画像として表示する範囲を選択された視覚的表示が付加されている位置に対応するように切替えるステップを含む。
【００１１】
さらに好ましくは、視覚的表示を付加するステップは、選択指示に応答して、選択された視覚的表示の表示態様を選択前とは異なる表示態様に切替える。
【００１２】
好ましくは、文書要素の種別は、表題、見出し、段落区切り、図、表、写真、手書き文字、下線付文字、装飾文字、色文字、の少なくともいずれかを含む。
【００１３】
好ましくは、一覧画像と閲覧画像とは、同一の表示面に表示される。
好ましくは、原稿を読取ることで文書画像を取得するステップと、文書画像に含まれる文書要素を抽出するステップと、抽出された文書要素の文書画像内の位置と種別とを取得するステップと、取得した文書画像内の位置と種別とに基づいて、属性情報を生成するステップと、文書画像に付属情報を付加することで電子化文書を生成するステップとをさらに備える。
【００１４】
この発明の別の局面に従えば、コンピュータを電子化文書を処理する文書処理装置として機能させる文書処理プログラムであって、電子化文書は、ページ領域毎に区分された文書画像と属性情報とを含み、属性情報は、文書画像内の文書要素の位置を示す情報と、当該文書要素の種別を示す情報とを含み、文書処理プログラムは、文書画像の各ページ領域を示す画像を少なくとも１つ含む一覧画像を表示するステップと、属性情報に基づいて、一覧画像上の文書要素に対応する位置に視覚的表示を付加するステップとを、コンピュータに実行させる。視覚的表示を付加するステップは、属性情報に含まれる文書要素の種別を取得するステップと、文書要素の種別に応じた視覚的表示を生成するステップとを含む。
【００１５】
好ましくは、文書処理プログラムは、原稿を読取ることで文書画像を生成するステップと、文書画像に含まれる文書要素を抽出するステップと、抽出された文書要素の文書画像内の位置と種別とを取得するステップと、取得した文書画像内の位置と種別とに基づいて、属性情報を生成するステップと、文書画像に付属情報を付加することで電子化文書を生成するステップとを、さらにコンピュータに実行させる。
【００１６】
この発明のさらに別の局面に従う電子化文書を処理する文書処理装置では、電子化文書は、ページ領域毎に区分された文書画像と属性情報とを含み、属性情報は、文書画像内の文書要素の位置を示す情報と、当該文書要素の種別を示す情報とを含み、文書処理装置は、文書画像の各ページ領域を示す画像を少なくとも１つ含む一覧画像を表示する表示手段と、属性情報に基づいて、一覧画像上の文書要素に対応する位置に視覚的表示を付加する付加手段とを備える。付加手段は、属性情報に含まれる文書要素の種別を取得する取得手段と、文書要素の種別に応じた視覚的表示を生成する生成手段とを含む。
【発明の効果】
【００１７】
この発明によれば、文書全体における文書要素の位置および種別をユーザが一見して把握できるような表示が可能となる。
【発明を実施するための最良の形態】
【００１８】
この発明の実施の形態について、図面を参照しながら詳細に説明する。なお、図中の同一または相当部分については、同一符号を付してその説明は繰返さない。
【００１９】
［実施の形態１］
（全体システム構成）
図１は、この発明の実施の形態１に従う文書処理装置を含むシステムの概略構成図である。本実施の形態においては、代表的に、本発明に係る文書処理方法を実行するＭＦＰ（Multi Function Peripheral）について説明する。なお、本発明に係る文書処理方法は、ＭＦＰに限らず、複写機やファクシミリ装置などにも適用可能である。
【００２０】
図１を参照して、本実施の形態に従うＭＦＰ１は、原稿３００を読取るための画像読取部１０４と、紙媒体などへの印刷処理を行なうためのプリント部１０６と、電子化文書を記憶するための記憶部１１２とを含んで構成される。
【００２１】
特に、本実施の形態に従うＭＦＰ１は、画像読取部１０４で原稿３００を読取ることで文書画像を取得し、この文書画像を含む電子化文書４００を生成する。この際、ＭＦＰ１は、読取った文書画像に含まれる文書要素の文書画像内の位置を示す情報と、当該文書要素の種別を示す情報とを含む属性情報を生成する。この「文書要素」とは、文書を構成する記述要素を意味する。なお、このような属性情報は、「メタデータ（meta data）」とも称され、上述のような位置および種別を示す情報に加えて、たとえば各文書要素を代表する説明などを含めてもよい。以下の説明では、属性情報の代表例として「しおり」を電子化文書に付加する構成について説明する。なお、本明細書において「属性情報」とは、文書要素の「文書画像内の位置」を示す情報と、当該文書要素の「種別」を示す情報とを少なくとも含むデータであり、「しおり」の他に文書要素についての補足的コメントをさらに含む「注釈」などであってもよい。
【００２２】
ＭＦＰ１は、読取った文書画像に属性情報を付加して、電子化文書４００を生成する。代表的に、電子化文書４００にはＰＤＦ（Portable Document Format）などのフォーマットを採用できる。
【００２３】
その後、ＭＦＰ１は、生成した電子化文書４００を自身の記憶部１１２に格納したり、ネットワークを介してパーソナルコンピュータＰＣ１，ＰＣ２，ＰＣ３（以下、「パーソナルコンピュータＰＣ」とも総称する）に送信したりする。代表的な使用形態として、ＭＦＰ１が設置されている同一のオフィス内に敷設されたネットワークであるＬＡＮ（Local Area Network）に接続されているパーソナルコンピュータＰＣ１，ＰＣ２に対しては、ＭＦＰ１から電子化文書４００が直接的に送信される。一方、ＬＡＮとＷＡＮ（Wide Area Network）との接続点には、サーバ装置ＳＲＶが設けてあり、ＭＦＰ１とは離れたオフィスにあるパーソナルコンピュータＰＣ３などに対しては、ＭＦＰ１からサーバ装置ＳＲＶを介して電子化文書４００が送信される。ここで、サーバ装置ＳＲＶは代表的に、メールサーバ、ＦＴＰ（File Transfer Protocol）サーバ、Ｗｅｂサーバ、ＳＭＢサーバなどからなる。
【００２４】
画像読取部１０４は、原稿をセットするための戴荷台と、原稿台ガラスと、戴荷台にセットされた原稿を原稿台ガラスに自動的に一枚ずつ搬送する搬送部と、読取られた原稿を排出するための排出台とを含む（いずれも図示しない）。この構成により、複数枚の原稿をページ単位で連続的に読取って、一つの電子化文書４００として生成することができる。ここで、ＭＦＰ１は、原稿の各ページに対応した文書画像を生成するので、電子化文書４００にはページ領域に区分された文書画像が含まれることになる。
【００２５】
特に、本実施の形態に従うＭＦＰ１は、電子化文書４００の生成過程もしくは生成後において、文書画像の各ページ領域を示す画像を少なくとも１つ含む一覧画像を表示可能である。このような一覧画像に含まれる各画像は「サムネイル画像」とも称される。さらに、ＭＦＰ１は、電子化文書４００の属性情報に基づいて、この一覧画像上の文書要素に対応する位置に視覚的表示（代表的に、「しおりアイコン」）を付加表示する。この視覚的表示として、対応する文書要素の種別毎に、表示形態または表示色の少なくとも一方が異なる視覚的表示が用いられる。以下の説明では、視覚的表示の代表例として「しおりアイコン」を用いる場合について説明するが、視覚的表示はユーザが文書要素の少なくとも位置を視認できるものであればいずれの表示形態であってもよい。
【００２６】
このような視覚的表示を付加した一覧画像を表示することで、ユーザは、対象とする電子化文書４００全体における文書要素の位置および種別を一見して把握できる。これにより、ユーザは必要な文書要素を迅速に検索することができる。以下、このような処理を実現する構成について詳述する。
【００２７】
（ＭＦＰの概略構成）
図２は、この発明の実施の形態１に従うＭＦＰ１における概略構成を示すブロック図である。
【００２８】
図２を参照して、ＭＦＰ１は、制御部１００と、メモリ部１０２と、画像読取部１０４と、プリント部１０６と、通信インターフェイス部１０８と、操作パネル部１１０と、記憶部１１２とを含む。
【００２９】
制御部１００は、代表的にＣＰＵ（Central Processing Unit）などの演算装置から構成され、プログラムを実行することで本実施の形態に従う文書処理方法を実現する。メモリ部１０２は、代表的にＤＲＡＭ（Dynamic Random Access Memory）などの揮発性の記憶装置であり、制御部１００で実行されるプログラムやプログラムの実行に必要なデータなどを保持する。通信インターフェイス部１０８は、代表的に、ネットワーク（たとえば、図１に示すＬＡＮ）を介してパーソナルコンピュータＰＣ（図１）との間でデータを送受信するための部位であり、たとえば、ＬＡＮアダプタおよびそれを制御するドライバソフトなどを含む。また、記憶部１１２は、代表的にハードディスク装置やフラッシュメモリなどの不揮発性の記憶装置であり、制御部１００が生成した電子化文書４００などを格納する。
【００３０】
プリント部１０６は、プリント処理を行なうための部位であり、プリント処理に係るハードウェア構成に加えて、各部の作動を制御するための制御装置をも含む。また、操作パネル部１１０は、ユーザに対して画像や各種作動状態を表示機能とともに、ユーザの操作を受付ける設定操作機能を提供する部位である。
【００３１】
図３は、この発明の実施の形態１に従うＭＦＰ１の操作パネル部１１０の外観を示す一例である。図３を参照して、操作パネル部１１０は、液晶表示装置やタッチパネルなどから構成される表示パネル１１０ａと、ストップボタン１１０ｂと、スタートボタン１１０ｃと、英数キーなどを含む操作ボタン１１０ｄとを備えている。
【００３２】
表示パネル１１０ａには、上述した電子化文書４００の一覧画像（少なくとも１つのサムネイル画像の集合）や、電子化文書４００に含まれる文書画像の所定範囲に対応する閲覧画像が表示される。なお、閲覧画像は、サムネイル画像に比較してより大きなサイズで表示される。すなわち、閲覧画像の表示領域は各サムネイル画像の表示領域より大きく設定される、さらに、表示パネル１１０ａには、ユーザがＭＦＰ１に対して各種設定を行なうための設定画面や、ＭＦＰ１からユーザに対して作動状態などを表示するための表示画面などが表示される。
【００３３】
さらに、ユーザは、操作パネル部１１０を操作することで各種設定を与えることが可能であり、代表的に、操作パネル部１１０に表示される設定操作画面に触れることで各種設定操作ができる。また、ユーザは、ストップボタン１１０ｂ、スタートボタン１１０ｃ、および操作ボタン１１０ｄなどを押圧などすることで各種設定操作をすることもできる。
【００３４】
（一覧画像および閲覧画像の表示例）
ＭＦＰ１は、ユーザからの要求に応答して、生成した電子化文書４００に基づいて図４（ａ）および図４（ｂ）に示すような一覧画像を表示パネル１１０ａに表示する一方、図５に示すような閲覧表示を表示パネル１１０ａに表示することもできる。
【００３５】
図４は、この発明の実施の形態１に従う表示パネル１１０ａに表示される一覧画像の一例を示した図である。図４（ａ）はしおりアイコンの非付加表示状態を示し、図４（ｂ）はしおりアイコンの付加表示状態を示す。
【００３６】
図５は、この発明の実施の形態１に従う表示パネル１１０ａに表示される閲覧画像の一例を示した図である。
【００３７】
図４（ａ）に示す一覧画像では、文書画像の各ページ領域（一例として、５ページ）を示すサムネイル画像３０４ａ〜３０４ｅが表示される。各サムネイル画像３０４ａ〜３０４ｅを表示するためのデータは、電子化文書４００に含まれる文書画像のデータから動的に生成してよいし、電子化文書４００に予め格納されているサムネイル表示用のデータを読出してもよい。
【００３８】
ユーザがしおり表示ボタン３０６を選択すると、一覧画像上の文書要素に対応する位置には、図４（ｂ）に示すように視覚的表示の代表例である「しおりアイコン」が付加表示される。なお、「選択」動作は、代表的に表示パネル１１０ａ上のアイコンなどの表示位置を押圧することで実現される。
【００３９】
図４（ｂ）を参照して、一覧画像上に付加表示されるしおりアイコン３３０ａ〜３３０ｈは、対応する文書要素の種別毎に表示形態または表示色の少なくとも一方が異なるように生成される。一例として、表題（タイトル）である文字「報告書１」に対応付けて付加されるしおりアイコン３３０ａには、巻物風図形が用いられている。また、見出しである文字「１．概要」、「２．詳細内容」、「３．まとめ」、「Ａｐｐｅｎｄｉｘ」にそれぞれ対応付けて付加されるしおりアイコン３３０ｂ，３３０ｄ，３３０ｇ，３３０ｈには、星型図形が用いられている。また、手書き文字である「重要」に対応付けて付加されるしおりアイコン３３０ｃには、雷型図形が用いられている。また、サムネイル画像３０４ｂおよび３０４ｃ内の図に対応付けて付加されるしおりアイコン３３０ｅおよび３３０ｆには、矢印図形が用いられている。なお、しおりアイコン３３０ａ〜３３０ｈは、互いに識別できるように表示色を異なるものとされていてもよい。なお、ユーザがしおり非表示ボタン３０７を選択すると、「しおりアイコン」の付加表示状態が解消されて、図４（ａ）に示す一覧画像に戻る。
【００４０】
さらに、ユーザが、サムネイル画像３０４ａ〜３０４ｅ上に付加表示されるいずれかのしおりアイコン（この例では、サムネイル画像３０４ｂ上のしおりアイコン３３０ｅ）を選択すると、表示パネル１１０ａ上の表示は、図５に示すような閲覧画像の画面に切替わり、文書画像のうち、選択されたしおりアイコン３３０ｅに対応する所定範囲を示す閲覧画像が表示される。また、ユーザによる拡大ボタン３１２または縮小ボタン３１４の選択に応答して、それぞれ拡大表示（文書画像のより狭い範囲にある画像の表示）または縮小表示（文書画像のより広い範囲にある画像の表示）が行なわれる。
【００４１】
また、ユーザが、表示パネル１１０ａ上に表示されるタブボタン（サムネイル）３０２を選択することで、図４（ａ）または図４（ｂ）に示す一覧画像が表示され、タブボタン（詳細）３０８を選択することで、図４（ｂ）に示す閲覧画像が表示される。
【００４２】
このような種別毎に異なる形態のしおりアイコンを一覧画像上に付加表示することで、ユーザが対象とする電子化文書４００全体における文書要素の位置および種別を一見して把握できる。
【００４３】
次に、図６を用いて電子化文書の生成処理および表示処理に係る機能構成について説明する。
【００４４】
（電子化文書の生成処理に係る機能構成）
図６は、この発明の実施の形態１に従うＭＦＰ１における機能構成を示すブロック図である。このブロック図に示される各機能は、主として制御部１００やメモリ部１０２などによって実現される。
【００４５】
図６を参照して、電子化文書の生成処理を実現する機能は、画像読取部１０４と、画像バッファ部１２と、圧縮処理部１４と、電子化文書生成部１６と、文書要素抽出部１８と、しおりデータ生成部２２とによって実現される。
【００４６】
画像読取部１０４は、原稿３００を読取って文書画像を取得し、その文書画像を画像バッファ部１２へ出力する。画像バッファ部１２は、画像読取部１０４が逐次的に出力する文書画像のデータを一時的に格納する部位であり、一旦格納した文書画像を圧縮処理部１４および文書要素抽出部１８へ出力する。圧縮処理部１４は、画像バッファ部１２から出力される文書画像を圧縮処理して、電子化文書生成部１６へ出力する。この圧縮処理による圧縮度合いは、生成される電子化文書の大きさや、要求される文書画像の解像度などに応じて変化させてもよく、また圧縮処理は非可逆変換であってもよい。なお、高解像度が要求される場合などには、圧縮処理を省略してもよい。
【００４７】
これに対して、文書要素抽出部１８は、画像バッファ部１２から出力される文書画像に含まれる所定の種別の文書要素を抽出する。文書要素抽出部１８は、この文書要素の抽出に際して、各文書要素の文書画像内における位置も抽出する。そして、文書要素抽出部１８は、抽出した文書要素の種別およびその位置情報をしおりデータ生成部２２へ出力する。
【００４８】
図７は、文書画像に含まれる文書要素の抽出処理を説明するための図である。
図７（ａ）は、原稿３００から生成される文書画像の一例を示す図であり、図７（ｂ）は、図７（ａ）に示す文書画像に対して文書要素が抽出された状態の一例を示す図である。図７（ａ）を参照して、一例として、報告書の原稿３００（一例として、５ページ）が画像読取部１０４で読取られると、画像バッファ部１２には各ページに対応する文書画像が格納される。図７（ｂ）に示すように、文書要素抽出部１８は、このような文書画像に含まれる矩形の文書要素４２０を抽出する。なお、文書要素４２０の抽出については、公知の方法を用いることができるが、代表的に文字サイズや隣接する領域に対する間隔などに基づいて、各領域が抽出される。ここで、抽出対象の文書要素は、「表題（タイトル）」、「見出し」、「段落区切り」、「図」、「表」、「写真」、「手書き文字」、「下線付文字」、「装飾文字」、「色文字」などの種別を有するものが含まれる。
【００４９】
より具体的には、「表題（タイトル）」は、文書画像内に配置される文字の文字サイズに基づいて抽出することができる。「見出し」は、文書画像内におけるオフセット位置やインデント位置などに基づいて抽出することができる。「段落区切り」は、後続する文字領域との間の間隔などに基づいて抽出することができる。「図」は、直線や曲線の検出数などに基づいて抽出することができる。「表」は、直線および直線の交差点の検出数などに基づいて抽出することができる。「写真」は、画像の濃淡変化の度合いなどに基づいて抽出することができる。「手書き文字」は、文字認識の度合いなどに基づいて抽出することができる。「下線付文字」は、文字と直線との距離などに基づいて抽出することができる。「装飾文字」は、複数の段階で文字認識を行なうことで抽出することができる。「色文字」は、文字認識と対応する画素の色情報などに基づいて抽出することができる。なお、文書画像内の共通の領域に対して、複数の文書要素が重複して抽出されてもよい。また、文字要素として抽出する種別は、上述のものに限られることなく、公知の認識技術を用いて様々な種別の文書要素を抽出することができる。
【００５０】
再度、図６を参照して、しおりデータ生成部２２は、文書要素抽出部１８から出力される文書要素の位置情報と種別とに基づいて、しおりデータを生成する。そして、しおりデータ生成部２２は、生成したしおりデータを電子化文書生成部１６へ出力する。電子化文書生成部１６は、圧縮処理部１４からの（圧縮された）文書画像にしおりデータ生成部２２からのしおりデータを付加することで、電子化文書を生成する。
【００５１】
図８は、電子化文書生成部１６が生成する電子化文書４００のデータ構造の一例を示す図である。図８を参照して、電子化文書４００は、ヘッダ部４０２と、文書画像部４０４と、しおりデータ部４０６と、フッタ部４０８とからなる。ヘッダ部４０２およびフッタ部４０８には、電子化文書４００の属性についての情報、たとえば作成日時・作成者・著作権情報などが格納される。文書画像部４０４には、各ページに対応する文書画像が格納される。なお、この文書画像は、上述したように圧縮された状態で格納されてもよい。しおりデータ部４０６には、文書画像に含まれる文書要素を特定するためのしおりデータが格納される。
【００５２】
図９は、しおりデータのデータ構造の一例を示す図である。図９を参照して、しおりデータには、各文書要素に対応付けて、ページ番号・領域左上座標・領域右下座標・要素種別などが格納される。ページ番号は、対応する文書要素が存在するページを特定するための位置情報である。また、領域左上座標および領域右下座標は、対応する文書要素のページ内での領域（矩形）を特定するための位置情報である。また、要素種別は、対応する文書要素の種別を特定するための情報である。
【００５３】
再度、図６を参照して、電子化文書生成部１６は、生成した電子化文書をユーザによる設定などに応じて記憶部１１２へ格納する。この記憶部１１２への格納に加えて、生成した電子化文書を送信部２８へ出力してもよい。送信部２８は、通信インターフェイス部１０８によって実現され、電子化文書生成部１６で生成された電子化文書をＬＡＮなどのネットワークを介して、パーソナルコンピュータＰＣ（図１）などへ送信する。
【００５４】
以上のような機能構成によって、電子化文書４００が生成される。
（電子化文書の表示処理に係る機能構成）
図６を参照して、電子化文書の表示処理を実現する機能は、表示データ生成部２０と、アイコン生成部３０と、アイコン画像格納部３２と、表示部２４と、設定操作部２６とによって実現される。
【００５５】
表示部２４は、図３に示す表示パネル１１０ａによって実現され、設定操作部２６は、表示パネル１１０ａと、ストップボタン１１０ｂと、スタートボタン１１０ｃと、操作ボタン１１０ｄとによって実現される。
【００５６】
表示データ生成部２０は、表示部２４に画像を表示するためのデータ（信号）を生成するための部位であり、一覧画像生成部２０ａと、閲覧画像生成部２０ｂとを含む。一覧画像生成部２０ａは、設定操作部２６から与えられるユーザ要求に応じて、記憶部１１２から電子化文書を選択的に読出し、当該電子化文書に格納されている文書画像データに基づいて、各ページ領域を示すサムネイル画像のデータを生成する。そして、生成した少なくとも１つのサムネイル画像を結合し、一覧画像を表示するためのデータを生成する。ここで、一覧画像生成部２０ａは、ユーザ要求に応じて、後述するアイコン生成部３０からのしおりアイコンの画像を対応のサムネイル画像に付加した上で一覧画像を生成する。一方、閲覧画像生成部２０ｂは、設定操作部２６から与えられるユーザ要求（具体的には、表示部２４上に表示されるしおりアイコンの選択）に応じて、記憶部１１２から要求された電子化文書を読出し、選択されたしおりアイコンに対応する範囲を表示するためのデータを生成する。
【００５７】
アイコン生成部３０は、ユーザ要求に応答して、記憶部１１２から電子化文書を読出してその中の属性情報を解釈し、当該属性情報に含まれる文書要素の種別と位置とを取得する。そして、アイコン生成部３０は、アイコン画像格納部３２から、文書要素の種別に応じた表示データ（代表的に、イメージデータ）を取得する。アイコン画像格納部３２は、アイコンの表示形態や表示色に関する情報を予め格納しており、アイコン生成部３０は、アイコン画像格納部３２に格納されているこれらの表示データに基づいて、しおりアイコンを表示するためのデータを生成する。そして、アイコン生成部３０は、生成したしおりアイコンを表示するためのデータを、対応する文書要素の位置情報とともに、一覧画像生成部２０ａへ与える。なお、この文書要素の位置情報には、各アイコンを付加すべきページ番号および当該ページ内での相対的な座標などが格納される。
【００５８】
なお、図６に示す各機能ブロックと本願発明との対応関係については、表示部２４が「表示手段」に相当し、表示データ生成部２０およびアイコン生成部３０が「付加手段」に相当する。
【００５９】
（フローチャート）
図１０は、この発明の実施の形態１に従う電子化文書の生成処理の具体例を示すフローチャートである。図１０のフローチャートに示される処理は、制御部１００がプログラムをメモリ部１０２などに読出して実行し、図６に示される各機能を制御することで実現される。
【００６０】
図６および図１０を参照して、まず、画像読取部１０４が原稿３００を読取って文書画像を生成する（ステップＳ１００）。この生成された文書画像は、画像バッファ部１２に格納される。そして、圧縮処理部１４が、画像バッファ部１２に格納された文書画像を圧縮処理して、電子化文書生成部１６へ出力する（ステップＳ１０２）。
【００６１】
一方、文書要素抽出部１８が、画像バッファ部１２に格納された文書画像に含まれる所定の種別の文書要素およびその位置を抽出する（ステップＳ１０４）。そして、文書要素抽出部１８が、抽出した文書要素の文書画像内における位置を示す情報と種別を示す情報とをしおりデータ生成部２２へ出力する（ステップＳ１０６）。すると、しおりデータ生成部２２が、これらの文書要素の種別と位置情報とに基づいて、しおりデータを生成する（ステップＳ１０８）。
【００６２】
続いて、電子化文書生成部１６が、圧縮処理部１４からの（圧縮された）文書画像に、しおりデータ生成部２２からのしおりデータを付加することで、電子化文書を生成する（ステップＳ１１０）。そして、電子化文書生成部１６が、記憶部１１２に電子化文書を格納する（ステップＳ１１２）。そして、電子化文書の生成処理は終了する。
【００６３】
図１１は、この発明の実施の形態１に従う電子化文書の表示処理の具体例を示すフローチャートである。図１１のフローチャートに示される処理は、制御部１００がプログラムをメモリ部１０２などに読出して実行し、図６に示される各機能を制御することで実現される。
【００６４】
図６および図１１を参照して、表示データ生成部２０が、設定操作部２６から一覧画像表示の要求を受けると、一覧画像生成部２０ａが、要求された電子化文書を記憶部１１２から読出し、当該電子化文書に格納されている文書画像データに基づいて、各ページ領域を示すサムネイル画像を生成する（ステップＳ２００）。
【００６５】
また、アイコン生成部３０が、設定操作部２６からしおりアイコンの表示要求を受けているか否かを判断する（ステップＳ２０２）。しおりアイコンの表示要求を受けている場合（ステップＳ２０２においてＹＥＳの場合）には、アイコン生成部３０が、記憶部１１２から対応の電子化文書を読出してその中の属性情報を解釈し、当該属性情報に含まれる文書要素の種別と位置とを取得する（ステップＳ２０４）。そして、アイコン生成部３０が、文書要素の種別に応じた表示データをアイコン画像格納部３２から取得し（ステップＳ２０６）、しおりアイコンの表示データを生成する（ステップＳ２０８）。さらに、アイコン生成部３０が、対応する文書要素の位置情報とともに、これらのしおりアイコンの表示データを一覧画像生成部２０ａへ与える（ステップＳ２１０）。これに応答して、一覧画像生成部２０ａが、しおりアイコンの画像を対応するサムネイル画像に付加した上で、一覧画像として生成する（ステップＳ２１２）。
【００６６】
一方、しおりアイコンの表示要求を受けていない場合（ステップＳ２０２においてＮＯの場合）には、アイコン生成部３０が、しおりアイコンの画像が付加されていないサムネイル画像から一覧画像を生成する（ステップＳ２１４）。この一覧画像は、表示部２４へ出力される。
【００６７】
この一覧画像の出力後、閲覧画像生成部２０ｂが、設定操作部２６からサムネイル画像上に表示されるいずれかのしおりアイコンが選択されたか否かを判断する（ステップＳ２１６）。いずれのしおりアイコンも選択されていなければ（ステップＳ２１６においてＮＯ）、いずれかのしおりアイコンが選択されるまでステップＳ２１６の処理が繰返される。
【００６８】
一方、いずれかのしおりアイコンが選択されると（ステップＳ２１６においてＹＥＳ）、閲覧画像生成部２０ｂが、選択されたしおりアイコンに対応する電子化文書を読出し、選択されたしおりアイコンに対応する範囲に相当する閲覧画像を生成する（ステップＳ２１８）。そして、この閲覧画像は、表示部２４へ出力される。そして、処理は最初に戻される。
【００６９】
この発明の実施の形態１によれば、文書画像の各ページ領域に対応するサムネイル画像を少なくとも１つ含む一覧画像に対して、文書要素に対応する位置に視覚的表示の代表例である「しおりアイコン」が付加される。さらに、この付加される「しおりアイコン」は、対応する文書要素の種別に応じて異なるものとされる。これにより、ユーザは、電子化文書の全体における文書要素の位置および種別を一見して把握できるため、目的とする文書要素、特に目的とする種別に応じて文書要素を探すことができるので、検索効率を高めることができる。
【００７０】
［実施の形態２］
この発明の実施の形態１では、電子化文書を生成するとともに電子化文書を表示できるＭＦＰ１について説明した。これに対して、この発明の実施の形態２では、ＭＦＰ１から電子化文書を送信されたパーソナルコンピュータＰＣにおいて、この発明に係る文書処理方法を実現する構成について例示する。
【００７１】
この発明の実施の形態２に従うシステムは、図１に示すシステムと同様であり、ＭＦＰ１が電子化文書をパーソナルコンピュータＰＣへ送信し、パーソナルコンピュータＰＣが文書画像にしおりアイコンを付加して表示する。
【００７２】
（パーソナルコンピュータの構成）
図１２は、この発明の実施の形態２に従うパーソナルコンピュータＰＣの概略のハードウェア構成を示す模式図である。
【００７３】
図１２を参照して、パーソナルコンピュータＰＣは、オペレーティングシステム（ＯＳ：Operating System）を含む各種プログラムを実行するＣＰＵ（Central Processing Unit）２０１と、ＣＰＵ２０１でのプログラムの実行に必要なデータを一時的に記憶するメモリ部２１３と、ＣＰＵ２０１で実行されるプログラムを不揮発的に記憶するハードディスク部（ＨＤＤ：Hard Disk Drive）２１１とを含む。
【００７４】
そして、ＣＰＵ２０１がハードディスク部２１１などに格納されている閲覧アプリケーションを実行することで、電子化文書４００の文書画像がディスプレイ部２０５に表示される。このようなアプリケーションは、一般的に、ＦＤＤドライブ２１７またはＣＤ−ＲＯＭドライブ２１５に格納されて流通し、それぞれフレキシブルディスク２１７ａまたはＣＤ−ＲＯＭ（Compact Disk-Read Only Memory）２１５ａから読取られてハードディスク部２１１に格納される。もしくは、ネットワーク配信されるアプリケーションを通信インターフェイス部２０７で受信し、ハードディスク部２１１に格納してもよい。
【００７５】
ＣＰＵ２０１は、キーボードやマウスなどからなる入力部２０９を介してユーザからの指示を受取るとともに、プログラムの実行によって生成される画面表示をディスプレイ部２０５へ出力する。また、ＣＰＵ２０１は、ＬＡＮカードなどからなる通信インターフェイス部２０７を介して、ＬＡＮやＷＡＮに接続されたＭＦＰ１やサーバ装置ＳＲＶ（図１）から電子化文書４００を取得し、ハードディスク部２１１などに格納する。また、上述の各部は、内部バス２０３を介して相互にデータを授受する。
【００７６】
特に、この発明の実施の形態２では、汎用の閲覧アプリケーションがインストールされているパーソナルコンピュータＰＣに対して、本発明に係る機能を実現するプログラムが添付された電子化文書を送信することで、上述の電子化文書の表示機能を実現する構成について説明する。より具体的には、汎用の閲覧アプリケーション（代表的に、米国カリフォルニア州サンノゼにあるアドビシステムズ社が販売している「Ｒｅａｄｅｒ」）には、所定のスクリプト言語（代表的に、JａｖａＳｃｒｉｐｔ（登録商標））の実行環境を提供するモジュールを含めることができる。そのため、電子化文書にスクリプト形式のプログラムを添付することで、このような閲覧アプリケーションがインストールされている一般的なパーソナルコンピュータＰＣにおいて、本発明に係る電子化文書の表示処理を実現することができる。
【００７７】
（ＭＦＰの機能的構成）
図１３は、この発明の実施の形態２に従うＭＦＰ１＃における電子化文書の生成処理を実現する機能構成を示すブロック図である。
【００７８】
図１３を参照して、ＭＦＰ１＃での電子化文書の生成処理を実現する機能は、画像読取部１０４と、画像バッファ部１２と、圧縮処理部１４と、電子化文書生成部１６＃と、添付プログラム格納部３４と、文書要素抽出部１８と、しおりデータ生成部２２と、送信部２８とによって実現される。これらのうち、電子化文書生成部１６＃および添付プログラム格納部３４を除く各部位の機能については、図６に示すブロック図の対応する構成と同様であるので、詳細な説明は繰返さない。
【００７９】
添付プログラム格納部３４は、パーソナルコンピュータＰＣにおいて、本発明に係る表示処理を実現するための添付プログラムを格納する部位である。この添付プログラムには、付属情報に基づいて「しおりアイコン」を生成するための処理が少なくとも記述されている。なお、送信先のパーソナルコンピュータＰＣの動作環境に依存することなく、所定のしおりアイコンを表示させるためには、しおりアイコンに使用されるイメージデータについても添付プログラム内に含まれることが好ましい。添付プログラム格納部３４は、電子化文書の生成過程において、格納するプログラムを電子化文書生成部１６＃へ出力する。
【００８０】
電子化文書生成部１６＃は、圧縮処理部１４からの（圧縮された）文書画像に、しおりデータ生成部２２からのしおりデータおよび添付プログラム格納部３４からの添付プログラムを付加することで、電子化文書４００＃を生成する。
【００８１】
図１４は、電子化文書生成部１６が生成する電子化文書４００＃のデータ構造の一例を示す図である。図１４を参照して、電子化文書４００＃は、図８に示す電子化文書４００に対して、さらに添付プログラム部４１０が付加されている。そして、この添付プログラム部４１０に添付プログラムが埋込まれる。
【００８２】
なお、図１３に示す各機能ブロックと本願発明との対応関係については、表示部２４が「表示手段」に相当し、表示データ生成部２０およびアイコン生成部３０が「付加手段」に相当する。
【００８３】
（パーソナルコンピュータの機能的構成）
図１５は、この発明の実施の形態２に従うパーソナルコンピュータＰＣにおける電子化文書の表示処理を実現する機能構成を示すブロック図である。
【００８４】
図１５を参照して、パーソナルコンピュータＰＣでの電子化文書の表示処理を実現する機能は、受信部５０と、閲覧用アプリケーション５１と、添付プログラム実行環境５３と、表示部５２とを含む。
【００８５】
受信部５０は、通信インターフェイス部１０８（図１２）によって実現され、ＭＦＰ１＃から送信される電子化文書４００＃を受信して、閲覧用アプリケーション５１へ渡す。閲覧用アプリケーション５１は、ハードディスク部２１１（図１２）などに格納されているプログラムコードがメモリ部２１３（図１２）に展開されて、ＣＰＵ２０１（図１２）で実行されることで実現される。閲覧用アプリケーション５１は、電子化文書４００＃に含まれる文書画像を表示するためのデータを生成し、表示部５２へ出力する。並行して、閲覧用アプリケーション５１は、電子化文書４００＃に含まれる付属情報および添付プログラムを抽出し、それを添付プログラム実行環境５３に渡す。
【００８６】
添付プログラム実行環境５３は、閲覧用アプリケーション５１から渡された添付プログラムを実行することで、電子化文書４００＃の付属情報に基づいたしおりアイコンの生成処理や、しおりアイコンの選択に応じた文書画像の表示範囲の変更処理などを実現する。
【００８７】
すなわち、閲覧用アプリケーション５１および添付プログラム実行環境５３が協働することで、図６に示す表示データ生成部２０と、アイコン生成部３０と、アイコン画像格納部３２とに相当する機能を実現する。なお、閲覧用アプリケーション５１と添付プログラム実行環境５３との間の機能分担については適宜設計することが可能である。また、図６に示す表示データ生成部２０、アイコン生成部３０、およびアイコン画像格納部３２の機能の詳細については上述したのでその説明は繰返さない。
【００８８】
表示部５２は、ディスプレイ部２０５（図１２）によって実現され、閲覧用アプリケーション５１から出力されるデータに応じた画像をユーザに対して表示する。
【００８９】
（パーソナルコンピュータにおける表示画面）
図１６は、この発明の実施の形態２に従うパーソナルコンピュータＰＣにおける表示画面の一例を模式的に示した図である。
【００９０】
図１６を参照して、ディスプレイ部２０５上に表示されるアプリケーション領域５００には、一例として、閲覧画像表示領域５１０と一覧画像表示領域５２０とが形成される。一覧画像表示領域５２０には、電子化文書４００＃に含まれる文書画像の各ページ領域を示すサムネイル画像５０４ａ〜５０４ｃが表示される。さらに、サムネイル画像５０４ａ〜５０４ｃ上には、しおりアイコン５３０ａ〜５３０ｆが付加表示される。このしおりアイコン５３０ａ〜５３０ｆは、電子化文書４００＃に含まれる付属情報に記載された文書要素に対応した位置に配置される。この付加表示されるしおりアイコンについては、図４（ｂ）と同様に、対応する文書要素の種別毎に表示形態または表示色の少なくとも一方が異なるように生成される。
【００９１】
ユーザが、サムネイル画像５０４ａ〜５０４ｃ上に付加表示されるいずれかのしおりアイコン（この例では、サムネイル画像５０４ｂ上のしおりアイコン５３０ｅ）を選択（代表的には、図示しないマウスなどによるクリック動作）すると、閲覧画像表示領域５１０には、電子化文書４００＃に含まれる文書画像のうち、選択されたしおりアイコン（この例では、しおりアイコン５３０ｅ）に対応する所定範囲を示す閲覧画像５０６が表示される。
【００９２】
このとき、選択されたしおりアイコンの表示態様を、選択前の表示態様と異なる表示態様に切替えてもよい。具体的には、選択されたしおりアイコン（この例では、しおりアイコン５３０ｅ）の表示色を反転させたり、点滅表示（ブリンク表示）させたり、選択されたアイコンのみをカラー表示（この場合には、非選択のしおりアイコンは白抜き表示としてもよい）させたりしてもよい。このようにしおりアイコンの表示態様を切替えることで、いずれのしおりアイコンが選択中であるかが一見して把握できる。
【００９３】
このような視覚的表示を付加した一覧画像を表示することで、ユーザは、対象とする電子化文書４００＃全体における文書要素の位置および種別を一見して把握できる。これにより、ユーザは必要な文書要素を迅速に検索することができる。
【００９４】
この発明の実施の形態２に従うパーソナルコンピュータＰＣにおける処理内容は、図１１に示す本実施の形態１に従う電子化文書の表示処理の具体例を示すフローチャートと同様であるので、詳細な説明は繰返さない。
【００９５】
この発明の実施の形態２によれば、文書画像の各ページ領域に対応するサムネイル画像を少なくとも１つ含む一覧画像に対して、文書要素に対応する位置に視覚的表示の代表例である「しおりアイコン」が付加される。さらに、この付加される「しおりアイコン」は、対応する文書要素の種別に応じて異なるものとされる。これにより、ユーザは、電子化文書の全体における文書要素の位置および種別を一見して把握できるため、目的とする文書要素、特に目的とする種別に応じて文書要素を探すことができるので、検索効率を高めることができる。
【００９６】
［その他の実施の形態］
上述の実施の形態１および２においては、本発明に係る電子化文書の生成処理がＭＦＰ１またはＭＦＰ１＃で実行される構成について説明したが、原稿３００を読取るための画像読取機能を備えたコンピュータにおいて上記処理が実行されてもよい。この場合には、コンピュータを文書処理装置として機能させるための図６や図１３に示された処理機能を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記憶媒体にて記憶させて、プログラム製品として提供することもできる。あるいは、コンピュータに内蔵するハードディスクなどの記憶媒体にて記憶させて、プログラムを提供することもできる。また、ネットワークを介したダウンロードによって、プログラムを提供することもできる。
【００９７】
また、画像読取機能を他の装置またはコンピュータで実現した上で、生成された文書画像を受取って、上記のような処理に従って属性情報のみを生成してもよい。また、文書画像と属性情報とが同一の電子化文書に含まれる構成について例示したが、必ずしも同一の電子化文書に属性情報を付加しなくてもよく、別のファイルとして出力してもよい。
【００９８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１００】
提供されるプログラム製品は、ハードディスクなどのプログラム格納部にインストールされて実行される。なお、プログラム製品は、プログラム自体と、プログラムが記憶された記憶媒体とを含む。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０２】
【図１】この発明の実施の形態１に従う文書処理装置を含むシステムの概略構成図である。
【図２】この発明の実施の形態１に従うＭＦＰにおける概略構成を示すブロック図である。
【図３】この発明の実施の形態１に従うＭＦＰの操作パネル部の外観を示す一例である。
【図４】この発明の実施の形態１に従う表示パネルに表示される一覧画像の一例を示した図である
【図５】この発明の実施の形態１に従う表示パネルに表示される閲覧画像の一例を示した図である。
【図６】この発明の実施の形態１に従うＭＦＰにおける機能構成を示すブロック図である。
【図７】文書画像に含まれる文書要素の抽出処理を説明するための図である。
【図８】電子化文書生成部が生成する電子化文書のデータ構造の一例を示す図である。
【図９】しおりデータのデータ構造の一例を示す図である。
【図１０】この発明の実施の形態１に従う電子化文書の生成処理の具体例を示すフローチャートである。
【図１１】この発明の実施の形態１に従う電子化文書の表示処理の具体例を示すフローチャートである。
【図１２】この発明の実施の形態２に従うパーソナルコンピュータＰＣの概略のハードウェア構成を示す模式図である。
【図１３】この発明の実施の形態２に従うＭＦＰにおける電子化文書の生成処理を実現する機能構成を示すブロック図である。
【図１４】電子化文書生成部が生成する電子化文書のデータ構造の一例を示す図である。
【図１５】この発明の実施の形態２に従うパーソナルコンピュータにおける電子化文書の表示処理を実現する機能構成を示すブロック図である。
【図１６】この発明の実施の形態２に従うパーソナルコンピュータＰＣにおける表示画面の一例を模式的に示した図である。
【符号の説明】
【０１０３】
１，１＃  ＭＦＰ、１２  画像バッファ部、１４  圧縮処理部、１６  電子化文書生成部、１８  文書要素抽出部、２０  表示データ生成部、２０ａ  一覧画像生成部、２０ｂ  閲覧画像生成部、２２  しおりデータ生成部、２４  表示部、２６  設定操作部、２８  送信部、３０  アイコン生成部、３２  アイコン画像格納部、３４  添付プログラム格納部、５０  受信部、５１  閲覧用アプリケーション、５２  表示部、５３  添付プログラム実行環境、１００  制御部、１０２  メモリ部、１０４  画像読取部、１０６  プリント部、１０８  通信インターフェイス部、１１０  操作パネル部、１１０ａ  表示パネル、１１０ｂ  ストップボタン、１１０ｃ  スタートボタン、１１０ｄ  操作ボタン、１１２  記憶部、２０３  内部バス、２０５  ディスプレイ部、２０７  通信インターフェイス部、２０９  入力部、２１１  ハードディスク部（ＨＤＤ）、２１３  メモリ部、２１５  ＣＤ−ＲＯＭドライブ、２１５ａ  ＣＤ−ＲＯＭ、２１７  ＦＤＤドライブ、２１７ａ  フレキシブルディスク、３０６  表示ボタン、３０７  非表示ボタン、３１２  拡大ボタン、３１４  縮小ボタン、３３０ａ〜３３０ｈ，５３０ａ〜５３０ｆ  しおりアイコン、４００  電子化文書、４０２  ヘッダ部、４０４  文書画像部、４０６  しおりデータ部、４０８  フッタ部、４１０  添付プログラム部、４２０  文書要素、５００  アプリケーション領域、５１０  閲覧画像表示領域、５２０  一覧画像表示領域、ＰＣ，ＰＣ１，ＰＣ２，ＰＣ３  パーソナルコンピュータ、ＳＲＶ  サーバ装置。
【図１】
2008305089.tif 000003
【図２】
2008305089.tif 000004
【図３】
2008305089.tif 000005
【図４】
2008305089.tif 000006
【図５】
2008305089.tif 000007
【図６】
2008305089.tif 000008
【図７】
2008305089.tif 000009
【図８】
2008305089.tif 000010
【図９】
2008305089.tif 000011
【図１０】
2008305089.tif 000012
【図１１】
2008305089.tif 000013
【図１２】
2008305089.tif 000014
【図１３】
2008305089.tif 000015
【図１４】
2008305089.tif 000016
【図１５】
2008305089.tif 000017
【図１６】
2008305089.tif 000018